(57)【要約】【課題】  発生した見当ずれがどのような態様のものであり、どの程度の見当ずれが発生したのかを認識することを可能とする。【解決手段】  印刷物３に絵柄及び見当マーク１０，１１を印刷する複数の印刷ユニット１，２と、印刷物３における見当ずれの発生を検出する自動見当装置５とを備える印刷機２００に設けられ、見当ずれに関する処理を行う装置１００である。自動見当装置５により見当ずれが検出された場合に、印刷物３における見当ずれの発生箇所の見当マーク１０，１１を撮像する撮像装置２２と、撮像装置２２により撮像された画像を表示するモニタ装置２４とを備える。自動見当装置５により見当ずれが検出された場合に、撮像装置２２を見当マーク１０，１１の撮像位置に移動させる移動機構２３を更に備える。【選択図】    図１
2008137195.tif 000002
【特許請求の範囲】
【請求項１】
走行する印刷物に対して絵柄及び見当マークを順次に印刷する複数の印刷ユニットと、前記複数の印刷ユニットにより印刷がなされた印刷物における見当ずれの発生を検出する自動見当装置と、を備える印刷機に設けられ、見当ずれに関する処理を行う装置であって、
前記自動見当装置により見当ずれが検出された場合に、前記印刷物における見当ずれの発生箇所の見当マークを撮像する撮像装置と、
前記撮像装置により撮像された画像を表示するモニタ装置と、
を備えることを特徴とする見当ずれ関連処理装置。
【請求項２】
前記撮像装置は、見当ずれが検出されていない時には、前記印刷物において、その走行方向に対して直交する方向における任意の位置を撮像する機能を担うものであり、
当該見当ずれ関連処理装置は、前記自動見当装置により見当ずれが検出された場合に、前記印刷物の走行方向に対して直交する方向において、前記撮像装置を見当マークの撮像位置に移動させる移動機構を更に備えることを特徴とする請求項１に記載の見当ずれ関連処理装置。
【請求項３】
前記印刷機は、前記印刷物の走行量を検出する走行量検出手段を備え、
前記撮像装置は、前記走行量検出手段による検出結果と、見当ずれの発生時に前記自動見当装置から出力される見当ずれ信号と、に基づいたタイミングで前記印刷物を撮像することにより、前記印刷物における見当ずれの発生箇所の見当マークを撮像可能であることを特徴とする請求項１又は２に記載の見当ずれ関連処理装置。
【請求項４】
前記印刷物における見当ずれの発生箇所が、該印刷物の走行方向におけるどの位置であるかを、前記走行量検出手段による検出結果と、見当ずれの発生時に前記自動見当装置から出力される見当ずれ信号と、に基づいて演算する演算手段を更に備えることを特徴とする請求項３に記載の見当ずれ関連処理装置。
【請求項５】
前記演算手段は、前記印刷物における見当ずれの発生箇所から見当ずれの終息位置までの長さも演算することを特徴とする請求項４に記載の見当ずれ関連処理装置。
【請求項６】
前記演算手段よる演算結果を記憶保持する記憶手段を更に備えることを特徴とする請求項４又は５に記載の見当ずれ関連処理装置。
【請求項７】
前記記憶手段は前記撮像装置により撮像された画像も記憶保持することを特徴とする請求項６に記載の見当ずれ関連処理装置。
【請求項８】
前記演算手段による演算結果に関する情報をプリント出力可能なプリンタ装置を更に備えることを特徴とする請求項４乃至７の何れか一項に記載の見当ずれ関連処理装置。
【請求項９】
前記印刷物における見当ずれの発生箇所と、前記印刷物における見当ずれが終息した位置と、にラベルを貼付するラベル貼付装置を更に備えることを特徴とする請求項１乃至８の何れか一項に記載の見当ずれ関連処理装置。
【請求項１０】
走行する印刷物に対して、複数の印刷ユニットにより絵柄及び見当マークを順次に印刷する第１の過程と、
前記複数の印刷ユニットにより印刷がなされた印刷物における見当ずれの発生を検出する第２の過程と、
前記第２の過程により見当ずれが検出された場合に、前記印刷物における見当ずれの発生箇所の見当マークを撮像する第３の過程と、
前記第３の過程により撮像された画像を表示する第４の過程と、
を備えることを特徴とする見当ずれ関連処理方法。
【発明の詳細な説明】
【技術分野】
【０００１】
本発明は、見当ずれに関連する各種の処理を行う処理装置及びその方法に関する。
【背景技術】
【０００２】
複数の印刷ユニットを備え、これら複数の印刷ユニットにより、印刷物に対して順次に印刷を行う印刷機が知られている。
【０００３】
このような印刷機においては、印刷物の伸び縮みにより、印刷中に見当ずれが生じる場合がある。見当ずれとは、各印刷ユニット間での印刷物に対する印刷のずれである。
【０００４】
従来、このように複数の印刷ユニットを備える印刷機は、見当ずれを監視するとともに、見当ずれが発生した場合に、そのずれを修正すべく各印刷ユニットによる印刷物への絵柄の印刷位置を制御する自動見当装置を備えている（例えば、特許文献１参照）。
【０００５】
また、従来、印刷物における見当ずれの発生箇所、すなわち不良印刷領域に対し、ラベルを自動的に添付する技術が知られている（例えば、特許文献１参照）。
【０００６】
また、従来、見当ずれが発生した場合に、周波数を調整することにより発光タイミングを変更可能なストロボをオペレータが印刷物に照射して、目視で印刷状態の確認を行い、手作業で不良印刷領域にラベルを貼る技術もある。
【０００７】
なお、印刷物において、貼り付けられたラベルの前後の領域は、不良印刷領域として切除された後で、製品化される。この際、印刷物におけるラベルの前後の領域は、不良印刷領域として多めに切除される。
【特許文献１】特開２００３−７２０３７号公報
【発明の開示】
【発明が解決しようとする課題】
【０００８】
従来、見当ずれがどの印刷ユニットで発生したのかは自動見当装置により判別することができるが、発生した見当ずれがどのような態様のものであり、どの程度の見当ずれが発生したのかは自動見当装置では認識することができないという問題があった。
【０００９】
このため、印刷物において、不要に多くの領域を、不良印刷領域として切除してしまうことがあり、歩留まり低下の原因になっていた。
【００１０】
或いは、瞬時に終息した見当ずれは無視されることも多いため、見当ずれが発生しているのにもかかわらず、製品化される場合もあった。
【００１１】
本発明は、上記のような問題点を解決するためになされたもので、発生した見当ずれがどのような態様のものであり、どの程度の見当ずれが発生したのかを認識することを可能とする見当ずれ関連処理装置及び見当ずれ関連処理方法をを提供することを目的とする。
【課題を解決するための手段】
【００１２】
上記課題を解決するため、本発明の見当ずれ関連処理装置は、走行する印刷物に対して絵柄及び見当マークを順次に印刷する複数の印刷ユニットと、前記複数の印刷ユニットにより印刷がなされた印刷物における見当ずれの発生を検出する自動見当装置と、を備える印刷機に設けられ、見当ずれに関する処理を行う装置であって、前記自動見当装置により見当ずれが検出された場合に、前記印刷物における見当ずれの発生箇所の見当マークを撮像する撮像装置と、前記撮像装置により撮像された画像を表示するモニタ装置と、を備えることを特徴としている。
【００１３】
本発明の見当ずれ関連処理装置においては、前記撮像装置は、見当ずれが検出されていない時には、前記印刷物において、その走行方向に対して直交する方向における任意の位置を撮像する機能を担うものであり、当該見当ずれ関連処理装置は、前記自動見当装置により見当ずれが検出された場合に、前記印刷物の走行方向に対して直交する方向において、前記撮像装置を見当マークの撮像位置に移動させる移動機構を更に備えることが好ましい。
【００１４】
本発明の見当ずれ関連処理装置においては、前記印刷機は、前記印刷物の走行量を検出する走行量検出手段を備え、前記撮像装置は、前記走行量検出手段による検出結果と、見当ずれの発生時に前記自動見当装置から出力される見当ずれ信号と、に基づいたタイミングで前記印刷物を撮像することにより、前記印刷物における見当ずれの発生箇所の見当マークを撮像可能であることが好ましい。
【００１５】
本発明の見当ずれ関連処理装置においては、前記印刷物における見当ずれの発生箇所が、該印刷物の走行方向におけるどの位置であるかを、前記走行量検出手段による検出結果と、見当ずれの発生時に前記自動見当装置から出力される見当ずれ信号と、に基づいて演算する演算手段を更に備えることが好ましい。
【００１６】
本発明の見当ずれ関連処理装置においては、前記演算手段は、前記印刷物における見当ずれの発生箇所から見当ずれの終息位置までの長さも演算することが好ましい。
【００１７】
本発明の見当ずれ関連処理装置においては、前記演算手段よる演算結果を記憶保持する記憶手段を更に備えることが好ましい。
【００１８】
本発明の見当ずれ関連処理装置においては、前記記憶手段は前記撮像装置により撮像された画像も記憶保持することが好ましい。
【００１９】
本発明の見当ずれ関連処理装置においては、前記演算手段による演算結果に関する情報をプリント出力可能なプリンタ装置を更に備えることが好ましい。
【００２０】
本発明の見当ずれ関連処理装置においては、前記印刷物における見当ずれの発生箇所と、前記印刷物における見当ずれが終息した位置と、にラベルを貼付するラベル貼付装置を更に備えることが好ましい。
【００２１】
本発明の見当ずれ関連処理方法は、走行する印刷物に対して、複数の印刷ユニットにより絵柄及び見当マークを順次に印刷する第１の過程と、前記複数の印刷ユニットにより印刷がなされた印刷物における見当ずれの発生を検出する第２の過程と、前記第２の過程により見当ずれが検出された場合に、前記印刷物における見当ずれの発生箇所の見当マークを撮像する第３の過程と、前記第３の過程により撮像された画像を表示する第４の過程と、を備えることを特徴としている。
【発明の効果】
【００２２】
本発明によれば、印刷物における見当ずれの発生箇所の見当マークを撮像し、撮像された画像を表示することができるので、発生した見当ずれがどのような態様のものであり、どの程度の見当ずれが発生したのかを認識することが可能となる。よって、印刷物から不良印刷領域として切除する領域を必要最小限の領域としたり、或いは、瞬時に終息した見当ずれについても不良印刷領域を切除したりすることが容易となる。
【発明を実施するための最良の形態】
【００２３】
以下、図面を参照して、本発明に係る実施形態について説明する。
【００２４】
図１は本実施形態に係る見当ずれ関連処理装置１００と、この見当ずれ関連処理装置１００が設けられた印刷機２００と、の構成を示すブロック図である。
【００２５】
先ず、印刷機２００について説明する。
【００２６】
図１に示すように、印刷機２００は、走行する印刷物３に対して絵柄及び見当マークを順次に印刷する複数（例えば２つの）の印刷ユニット１，２と、複数の印刷ユニット１，２による印刷後の印刷物３を巻き取る巻き取り装置４と、印刷の見当制御を行う自動見当装置５と、印刷物３の走行量を検出するロータリーエンコーダ（走行量検出手段）６と、を備えている。
【００２７】
各印刷ユニット１，２は、表面に絵柄が形成され印刷物３に対して印刷を行う版胴７と、この版胴７に対して印刷物３を押圧する圧胴８と、これら圧胴８及び版胴７の上流側及び下流側に配置され印刷物３を所定の経路に案内する案内ローラ９と、を備えている。
【００２８】
図２は印刷物３に対する絵柄及び見当マークの印刷態様の例を示す図である。
【００２９】
印刷ユニット１は、版胴７が一回転する度に、１単位の絵柄における第１の色（基準色）の部分を印刷物３に印刷するとともに、絵柄の脇（例えば、両脇）に第１の色の見当マーク１０を印刷する。
【００３０】
印刷ユニット２は、印刷ユニット１による印刷がなされた後の印刷物３に対して印刷を行う。
【００３１】
すなわち、印刷ユニット２は、版胴７が一回転する度に、１単位の絵柄における第２の色の部分を印刷物３に印刷するとともに、絵柄の脇（例えば、両脇）に第２の色の見当マーク１１を印刷する。
【００３２】
こうして、印刷物３には１単位の絵柄が繰り返し印刷されるとともに、各絵柄の脇には各色の見当マーク１０，１１が印刷される。
【００３３】
本実施形態の場合、例えば、印刷ユニット１により印刷される第１の色の見当マーク１０と、印刷ユニット２により印刷される第２の色の見当マーク１１は、それぞれ十字マークであり、見当ずれが発生していない場合には、見当マーク１０と見当マーク１１とが完全に重なるように印刷される。
【００３４】
なお、図２に示す矢印Ａ方向は、印刷物３の長手方向、且つ、印刷物３の走行方向である。
【００３５】
また、図２に示す１絵柄長Ｌは、印刷物３の走行方向においての、１単位の絵柄が印刷される範囲の長さである。
【００３６】
図３はロータリーエンコーダ６が出力するパルスを説明するための模式図である。
【００３７】
ロータリーエンコーダ６は版胴７の回転量を検出し、例えば、図３に示すように、版胴７が１回転する度に第１のパルス信号を１つ出力する。
【００３８】
換言すれば、ロータリーエンコーダ６は、例えば、印刷物３が１絵柄長Ｌだけ走行する毎に第１のパルス信号を１つ出力する。
【００３９】
更に、ロータリーエンコーダ６は、版胴７が（１／ｎ）回転する度に第２のパルス信号を１つ出力する。
【００４０】
換言すれば、ロータリーエンコーダ６は、印刷物３が１絵柄長Ｌの（１／ｎ）だけ走行する毎に第２のパルス信号を１つ出力する。
【００４１】
なお、ｎは非常な大きな数である（例えば、ｎ＝１０００程度、或いは、それ以上の数）。このため、ロータリーエンコーダ６は、第２のパルス信号を実質的に絶え間なく出力することとなる。
【００４２】
自動見当装置５は、見当マーク１０，１１の印刷位置の監視を行うことにより、複数の印刷ユニット１，２により印刷がなされた印刷物３における見当ずれの発生の検出し、見当ずれの発生を検出した場合には、その見当ずれを修正すべく各印刷ユニット１，２による絵柄の印刷位置を補正させる制御を行う。
【００４３】
ここで、印刷装置２００は、印刷ユニット１，２が配置されている印刷エリア１２（図１）における所定位置に、見当マーク１０を検出する第１スキャニングヘッド（図示略）と、見当マーク１１を検出する第２スキャニングヘッド（図示略）と、をそれぞれ備えている。
【００４４】
第１スキャニングヘッドは、該第１スキャニングヘッドと対向する位置に見当マーク１０が到達したときに、見当マーク１０を検出し、検出信号を自動見当装置５に出力する。
【００４５】
同様に、第２スキャニングヘッドは、該第２スキャニングヘッドと対向する位置に見当マーク１１が到達したときに、見当マーク１１を検出し、検出信号を自動見当装置５に出力する。
【００４６】
更に、自動見当装置５には、ロータリーエンコーダ６からの第１及び第２のパルスが入力されており、これら第１及び第２のパルスと、第１スキャニングヘッドからの検出信号と、を用いて、見当マーク１０が１単位の絵柄の印刷範囲内のどの位置に印刷されているかを判断する。
【００４７】
同様に、自動見当装置５は、ロータリーエンコーダ６からの第１及び第２のパルスと、第２スキャニングヘッドからの検出信号と、を用いて、見当マーク１１が１単位の絵柄の印刷範囲内のどの位置に印刷されているかを判断する。
【００４８】
すなわち、自動見当装置５は、ロータリーエンコーダ６から入力される第２のパルスの数を常時カウントし、第１のパルスが入力される度に、そのカウント値をリセットする。
【００４９】
そして、第１スキャニングヘッドから検出信号が入力されたタイミングにおける第２のパルスのカウント値が、１単位の絵柄の印刷範囲内のどの位置に相当する値であるかを判定し、その値が示す見当マーク１０の印刷位置が、所定の印刷位置からずれている場合には、自動見当装置５は、印刷ユニット１において見当ずれが発生していると判定する。
【００５０】
同様に、第２スキャニングヘッドから検出信号が入力されたタイミングにおける第２のパルスのカウント値が、１単位の絵柄の印刷範囲内のどの位置に相当する値であるかを判定し、その値が示す見当マーク１１の印刷位置が、所定の印刷位置からずれている場合には、自動見当装置５は、印刷ユニット２において見当ずれが発生していると判定する。
【００５１】
そして、自動見当装置５は、見当ずれが発生していると判定した場合には、その見当ずれを修正すべく各印刷ユニット１，２の版胴７の回転位相を制御するか、或いは、印刷ユニット１，２を図示しない駆動機構によって互いの方向に近づけるか又は遠ざけて印刷ユニット１，２間のパス長を制御することにより、各印刷ユニット１，２による印刷物３への絵柄の印刷位置を補正させる。
【００５２】
また、自動見当装置５は、見当ずれが発生していると判定した場合には、見当ずれ信号を出力する。
【００５３】
この見当ずれ信号は、印刷機２００が備える図示しない報知部に入力され、該報知部は、見当ずれ信号が入力されると、見当ずれが発生した旨をオペレータに報知する。
【００５４】
なお、自動見当装置５を含む印刷機２００の構成及び動作は従来周知であるため、上記において説明した以外の詳細は省略する。
【００５５】
次に、見当ずれ関連処理装置１００の構成を説明する。
【００５６】
図１に示すように、見当ずれ関連処理装置１００は、各種の制御動作を行う制御装置２１と、この制御装置２１の制御下で印刷物３を撮像する撮像装置２２と、制御装置２１の制御下で撮像装置２２を移動させる移動機構２３と、撮像装置２２により撮像された画像を制御装置２１の制御下で表示するモニタ２４と、見当ずれに関する情報のプリント出力などを制御装置２１の制御下で行うプリンタ２５と、印刷物３における見当ずれの発生箇所及び終息位置に制御装置２１の制御下でラベルを貼り付けるラベラ２６と、を備えている。
【００５７】
撮像装置２２は、印刷ユニット１，２が配置された印刷エリア１２と、巻き取り装置４と、の間に設置されている。
【００５８】
ここで、撮像装置２２の配置位置においては、例えば、図８に示すように印刷物３の走行経路が設定され、撮像装置２２が好適に印刷物３の印刷面（絵柄が印刷された面）を撮像できるようになっている。すなわち、印刷物３は、例えば、撮像装置２２の設置位置の前後において図８に示すようにして複数の案内ローラ４１により案内されることによって、撮像装置２２の上側をまたぐような走行経路に設定され、撮像装置２２が水平方向の視野にて印刷物３を撮像することにより、印刷物３の印刷面を撮像できるようになっている。なお、図８の矢印Ａは印刷物３の走行方向を示し、矢印Ｃは撮像装置２２による撮像の向き（撮像装置２２の目線）を示す。
【００５９】
撮像装置２２は、印刷物３の印刷面の静止画像を撮像し、撮像により得られた撮像データを制御装置２１に送信する。
【００６０】
なお、撮像装置２２は、例えば、ズームレンズを備え、制御装置２１の制御下で、オペレータが希望する拡大倍率の画像を撮像することが可能となっている。
【００６１】
移動機構２３は、撮像装置２２を印刷物３の幅方向において移動させることが可能に構成されている。
【００６２】
図４は印刷物３の撮像装置２２及び移動機構２３を示す模式的な斜視図である。
【００６３】
移動機構２３は、撮像装置２２を印刷物３の幅方向へ移動案内するガイドレール２７と、撮像装置２２をガイドレール２７に沿って移動させる駆動手段としてのパルスモータ（図示略）と、を備えている。
【００６４】
図４に撮像装置２２の移動可能範囲Ｂを示す。すなわち、移動機構２３は、パルスモータの駆動により、印刷物３の幅方向における両端間に亘って撮像装置２２を移動させることが可能となっている。
【００６５】
また、パルスモータの駆動量、すなわち制御装置２１から移動機構２３のパルスモータへ入力されるパルス数を調節することにより、移動機構２３は、印刷物３の幅方向における所望の位置へ撮像装置２２を移動させることが可能となっている。
【００６６】
図５は撮像装置２２の移動量の制御動作を説明するための模式的な斜視図である。
【００６７】
撮像装置２２は、制御装置２１から移動機構２３のパルスモータへ入力されるパルス数のカウント値に応じた位置に移動されるようになっている。
【００６８】
具体的には、例えば、見当ずれ関連処理装置１００の電源投入時に、撮像装置２２が図５の第１リミット位置（例えば、印刷物３の幅方向における左端）へ移動し、この位置において、カウント値が０であることをパルスモータに認識させる。
【００６９】
撮像装置２２は、図５の第１リミット位置から第２リミット位置（例えば、印刷物３の幅方向における右端であり、パルスモータのカウント値の１０００に相当する位置）まで移動可能である。
【００７０】
例えば、図５に示すように、カウント値が６００の位置からカウント値が１００の位置まで撮像装置２２を移動させたい場合には、制御装置２１は、マイナス方向へ５００パルスのパルス信号をパルスモータへ出力する。
【００７１】
ここで、撮像装置２２は、見当ずれが発生していない場合には、印刷物３の幅方向における任意の位置において、印刷物３における印刷の出来を確認するための画像を撮像する監視動作を行う。具体的には、例えば、印刷物３の幅方向において予め設定された複数箇所を順次に繰り返し移動しながら、各箇所の画像を所望の撮像倍率で撮像したりする。
【００７２】
図６は、見当ずれ発生時の撮像装置２２の移動を説明するための模式的斜視図であり、このうち（ａ）は移動直前の状態を、（ｂ）は移動後の状態を、それぞれ示す。
【００７３】
見当ずれが発生した場合には、撮像装置２２は、以下のように動作する。
【００７４】
先ず、撮像装置２２は、上記の監視動作を一時的に中断する。
【００７５】
そして、撮像装置２２は、図６（ａ）→図６（ｂ）に示す動作のように、見当マーク１０，１１を撮像可能な位置、すなわち、印刷物３の幅方向（走行方向に直交する方向）における端部（例えば、右端）へと移動機構２３により移動される。
【００７６】
なお、見当ずれ発生時の撮像装置２２の移動量は、見当ずれ発生直前の撮像装置２２の位置と、見当ずれ発生時に見当マークを撮像する所定位置（例えば、印刷物３の幅方向における右端位置）と、の差分となる。
【００７７】
次に、撮像装置２２は、制御装置２１により指示されたタイミングで撮像を行うことにより、見当ずれ発生箇所の見当マーク１０，１１（例えば、印刷物３の右端の見当マーク１０，１１）を撮像する。
【００７８】
なお、見当ずれ発生時に撮像装置２２が見当マーク１０，１１を撮像する位置は、事前にオペレータが制御装置２１に登録しておく。すなわち、制御装置２１は、見当ずれ発生時に撮像装置２２が見当マーク１０，１１を撮像する位置を、パルスモータのカウント数に換算して記憶する。
【００７９】
また、見当ずれ発生時に撮像装置２２が見当マーク１０，１１を撮像する際の撮像倍率も、事前にオペレータが制御装置２１に登録しておくものとし、撮像装置２２は、見当ずれ発生時には、その撮像倍率で見当マーク１０，１１を撮像する。
【００８０】
ここで、制御装置２１は、見当ずれ発生時の撮像装置２２による撮像タイミングを以下に説明するようにして制御することにより、見当ずれ発生箇所の見当マーク１０，１１を撮像装置２２に撮像させる。
【００８１】
制御装置２１には、ロータリーエンコーダ６から上記の第１及び第２のパルスが入力されるようになっている。
【００８２】
また、見当ずれの発生時には、自動見当装置５から制御装置２１へ見当ずれ信号が入力される。すなわち、印刷ユニット１において見当ずれが発生した場合にはその旨を示す見当ずれ信号（以下、第１見当ずれ信号）が、印刷ユニット２において見当ずれが発生した場合にはその旨を示す見当ずれ信号（以下、第２見当ずれ信号）が、それぞれ制御装置２１へ入力される。
【００８３】
なお、見当ずれ信号（第１見当ずれ信号及び第２見当ずれ信号）は、例えば、ＯＮ／ＯＦＦ信号であり、見当ずれが生じている間はＯＮの状態となり、見当ずれが終息するとＯＦＦに戻る。
【００８４】
また、制御装置２１は、印刷物３が第１スキャニングヘッドによる見当マーク１０の検出位置から撮像装置２２による撮像位置へ到達するまでの第１走行距離と、印刷物３が第２スキャニングヘッドによる見当マーク１１の検出位置から撮像装置２２による撮像位置へ到達するまでの第２走行距離と、を予め記憶している。
【００８５】
制御装置２１は、第１見当ずれ信号を受信した場合（第１見当ずれ信号がＯＦＦからＯＮに切り替わるのを検出した場合）には、移動機構２３のパルスモータに指示を送って撮像装置２２を見当ずれ発生時に見当マークを撮像する所定位置へ移動させる一方で、ロータリーエンコーダ６から入力される第１及び第２のパルスに基づいて該第１見当ずれ信号の受信タイミングからの印刷物３の走行距離をカウントし始める。
【００８６】
そして、カウントする走行距離が第１走行距離に達したタイミングで、撮像装置２２に撮像を行わせる。
【００８７】
これにより、撮像装置２２は、見当ずれ発生箇所の見当マーク１０，１１を撮像できる。
【００８８】
同様に、制御装置２１は、第２見当ずれ信号を受信した場合（第２見当ずれ信号がＯＦＦからＯＮに切り替わるのを検出した場合）には、移動機構２３のパルスモータに指示を送って撮像装置２２を見当ずれ発生時に見当マークを撮像する所定位置へ移動させる一方で、ロータリーエンコーダ６から入力される第１及び第２のパルスに基づいて該第２見当ずれ信号の受信タイミングからの印刷物３の走行距離をカウントし始める。
【００８９】
そして、カウントする走行距離が第２走行距離に達したタイミングで、撮像装置２２に撮像を行わせる。
【００９０】
これにより、撮像装置２２は、見当ずれ発生箇所の見当マーク１０，１１を撮像できる。
【００９１】
ここで、一連の見当ずれが継続し、終息するまでの時間が長い場合には、その間に撮像装置２２により撮像する見当マーク１０，１１の画像の数を複数枚にしても良い。
【００９２】
一連の見当ずれの継続中に複数枚の撮像を行う場合、見当ずれ発生箇所の画像を最初に撮像し、次の撮像からは１単位絵柄毎に行うか、或いは、複数単位絵柄毎に１枚の撮像を行う。撮像のインターバルは、１枚の画像の撮像に要する制御装置２１や撮像装置２２の処理時間と、印刷物３の走行速度との兼ね合いにより、適宜に設定すると良く、走行速度が遅い場合には１単位絵柄毎の撮像が可能であるが、走行速度が速い場合には複数単位絵柄毎の撮像を行うと良い。
【００９３】
また、制御装置２１は、見当ずれ信号（第１見当ずれ信号又は第２見当ずれ信号）がＯＮの状態が、印刷物３の走行方向におけるどの位置からどの位置まで（何ｍの間）続いたかを、見当ずれ信号と、ロータリーエンコーダ６から入力される第１及び第２のパルス信号と、を用いた演算により求め、演算結果を見当ずれの発生履歴として記憶保持する。
【００９４】
すなわち、制御装置２１は、見当ずれの発生箇所（開始位置）が印刷物３の走行方向におけるどの位置であるか（例えば、印刷開始位置から何ｍの位置であるか）と、印刷物３における見当ずれの発生箇所から終息位置までの長さと、を演算し、見当ずれの発生履歴として記憶する。
【００９５】
なお、見当ずれの発生履歴は、印刷ユニット１で発生した見当ずれと、印刷ユニット２で発生した見当ずれと、を区別して記憶保持する。
【００９６】
また、制御装置２１は、撮像装置２２から送信された撮像データ（見当ずれ発生時の撮像データを含む）も記憶保持する。
【００９７】
また、制御装置２１は、見当ずれの発生履歴や撮像データを、現在印刷中の（或いは直前に印刷を終えた）１本の印刷物３についてのみ記憶保持するだけでなく、過去に処理した所定数の印刷物３についても記憶保持しておくことにより、過去に処理した印刷物３に関する見当ずれについて、遡って確認を行うことが可能となる。
【００９８】
制御装置２１は、記憶保持したこれらの情報（演算結果や画像データ）を、そのまま、或いは、適宜に加工して、モニタ２４により表示出力させたり、プリンタ２５によりプリント出力させたりすることにより、オペレータに報知することができる。
【００９９】
モニタ２４は、撮像装置２２から制御装置２１に送信された撮像データに基づく静止画像を表示することが可能である。
【０１００】
図７は、見当ずれの発生時に撮像装置２２により撮像された見当マーク１０，１１を表示した状態のモニタ２４を示す斜視図である。
【０１０１】
図７に示すように、見当ずれが発生した場合、（見当マーク１０と見当マーク１１がともに同じ態様でずれた場合を除くと）見当マーク１０の印刷位置と見当マーク１１の印刷位置とが異なるため、見当マーク１０と見当マーク１１とがずれている。
【０１０２】
プリンタ２５は、上記のような見当ずれの発生履歴をプリント出力する。
【０１０３】
なお、制御装置２１が上記のような見当ずれの発生履歴を加工した後でモニタ２４やプリンタ２５により出力させる例としては、例えば、巻き取り装置４にて巻き取られた印刷物３において、走行方向の逆方向の順で（すなわち、見当ずれの終息箇所→発生箇所の順で）データを並べて出力することが挙げられる。このように走行方向の逆方向の順でデータを並べて出力することは、巻き取り装置４に巻き取られた印刷物３を巻き替えるときに見当ずれ部分を抽出する際に有効となる。
【０１０４】
ラベラ２６は、撮像装置２２及び移動機構２３の設置位置と、巻き取り装置４の設置位置と、の間に設置されている。
【０１０５】
ラベラ２６は、制御装置２１により動作タイミングが制御されて、印刷物３において、見当ずれの発生箇所と終息箇所の双方に、ラベルを貼付する。
【０１０６】
すなわち、制御装置２１は、印刷物３が第１スキャニングヘッドによる見当マーク１０の検出位置からラベラ２６によるラベルの貼付位置へ到達するまでの第３走行距離と、印刷物３が第２スキャニングヘッドによる見当マーク１１の検出位置からラベラ２６によるラベルの貼付位置へ到達するまでの第４走行距離と、を予め記憶している。
【０１０７】
制御装置２１は、第１見当ずれ信号を受信した場合（第１見当ずれ信号がＯＦＦからＯＮに切り替わるのを検出した場合）には、上記のように、ロータリーエンコーダ６から入力される第１及び第２のパルスに基づいて該第１見当ずれ信号の受信タイミングからの印刷物３の走行距離をカウントし始めて、カウントする走行距離が第３走行距離に達したタイミングで印刷物３に対するラベル貼付を行うように、ラベラ２６に指令を送信する。
【０１０８】
これにより、ラベラ２６は、印刷物３における見当ずれ発生箇所へラベルを貼付できる。
【０１０９】
また、制御装置２１は、第１見当ずれ信号がＯＮからＯＦＦに切り替わるのを検出した場合には、ロータリーエンコーダ６から入力される第１及び第２のパルスに基づいて該切り替わり検出のタイミングからの印刷物３の走行距離をカウントし始めて、カウントする走行距離が第３走行距離に達したタイミングで印刷物３に対するラベル貼付を行うように、ラベラ２６に指令を送信する。
【０１１０】
これにより、ラベラ２６は、印刷物３における見当ずれ終息箇所へラベルを貼付できる。
【０１１１】
同様に、制御装置２１は、第２見当ずれ信号を受信した場合には、上記のように、ロータリーエンコーダ６から入力される第１及び第２のパルスに基づいて該第２見当ずれ信号の受信タイミングからの印刷物３の走行距離をカウントし始めて、カウントする走行距離が第４走行距離に達したタイミングで印刷物３に対するラベル貼付を行うように、ラベラ２６に指令を送信する。
【０１１２】
これにより、ラベラ２６は、印刷物３における見当ずれ発生箇所へラベルを貼付できる。
【０１１３】
また、制御装置２１は、第２見当ずれ信号がＯＮからＯＦＦに切り替わるのを検出した場合には、ロータリーエンコーダ６から入力される第１及び第２のパルスに基づいて該切り替わり検出のタイミングからの印刷物３の走行距離をカウントし始めて、カウントする走行距離が第４走行距離に達したタイミングで印刷物３に対するラベル貼付を行うように、ラベラ２６に指令を送信する。
【０１１４】
これにより、ラベラ２６は、印刷物３における見当ずれ終息箇所へラベルを貼付できる。
【０１１５】
なお、所定のレベルを超えた見当ずれが発生した場合にのみラベラ２６によりラベル貼付を行わせるようにもできるようになっている。すなわち、例えば、オペレータが見当ずれ関連処理装置１００の動作モードの切替を行うと、制御装置２１が見当ずれのレベル判定を行う動作モードとなり、例えば、所定の長さ以上（例えば、何ｍ以上）に亘って発生した見当ずれに対してのみラベラ２６によりラベル貼付を行わせるようなる。
【０１１６】
また、印刷ユニット１及び印刷ユニット２の双方で発生した見当ずれも、走行長上では同じ発生箇所となる場合があるが、それらを複合的に計算し、発生箇所と終息箇所の２点にラベルを貼り付けることにより、見当ずれ領域を簡単に認識することが可能となる。
【０１１７】
次に、動作を説明する。
【０１１８】
先ず、印刷物３に対する印刷が開始されると、制御装置２１は、ロータリーエンコーダ６から入力される第１及び第２のパルス信号を用いて、印刷物３の走行長のカウント動作を開始する。
【０１１９】
また、撮像装置２２は、予め設定された所定の撮像位置を移動機構２３により順次に移動されながら、印刷物３を撮像する通常の監視動作を開始する。
【０１２０】
また、制御装置２１は、自動見当装置５から入力される見当ずれ信号（第１見当ずれ信号及び第２見当ずれ信号）を監視する。
【０１２１】
次に、例えば、印刷ユニット１にて見当ずれが発生すると、自動見当装置５は第１見当ずれ信号を制御装置２１に出力する。具体的には、例えば、第１見当ずれ信号をＯＦＦからＯＮに切り替える。
【０１２２】
制御装置２１は、第１見当ずれ信号を受信すると（第１見当ずれ信号がＯＦＦからＯＮに切り替わるのを検出すると）、移動機構２３に指令を送信して、撮像装置２２を見当ずれ発生時に見当マークを撮像する所定位置へと移動させる（図６参照）。
【０１２３】
また、制御装置２１は、ロータリーエンコーダ６から入力される第１及び第２のパルスに基づいて、第１見当ずれ信号の受信タイミングからの印刷物３の走行距離をカウントし始める。
【０１２４】
そして、制御装置２１は、撮像装置２２に指令を送信し、カウントする走行距離が第１走行距離に達したタイミングで撮像を行わせる。
【０１２５】
これにより、撮像装置２２は、見当ずれ発生箇所の見当マーク１０，１１を撮像する。
【０１２６】
撮像装置２２は、撮像により得られた撮像データを制御装置２１に送信し、制御装置２１は受信した撮像データを記憶保持するとともに、モニタ２４に表示させる（図７参照）。
【０１２７】
更に、制御装置２１は、ラベラ２６に指令を送信し、カウントする走行距離が第３走行距離に達したタイミングで印刷物３に対するラベル貼付を行わせる。
【０１２８】
これにより、ラベラ２６は、印刷物３における見当ずれ発生箇所へラベルを貼付する。
【０１２９】
次に、制御装置２１は、第１見当ずれ信号がＯＮからＯＦＦに切り替わるのを検出すると、撮像装置２２及び移動機構２３に指令を送信して、通常の監視動作を再開させるとともに、ロータリーエンコーダ６から入力される第１及び第２のパルスに基づいて、該切り替わりのタイミングからの印刷物３の走行距離をカウントし始める。
【０１３０】
更に、制御装置２１は、ラベラ２６に指令を送信し、カウントする走行距離が第３走行距離に達したタイミングで印刷物３に対するラベル貼付を行わせる。
【０１３１】
これにより、ラベラ２６は、印刷物３における見当ずれ終息箇所へラベルを貼付する。
【０１３２】
また、制御装置２１は、第１見当ずれ信号がＯＮの状態が、印刷物３の走行方向におけるどの位置からどの位置まで続いたかを、第１見当ずれ信号と、ロータリーエンコーダ６から入力される第１及び第２のパルス信号と、を用いた演算により求め、演算結果を見当ずれの発生履歴として記憶保持する。
【０１３３】
また、印刷物３に対する一連の印刷動作が終了すると、印刷機２００から制御装置２１へとその旨の信号が入力される。
【０１３４】
制御装置２１は、印刷物３に対する一連の印刷動作終了を示す信号を印刷機２００から受けると、カウントしていた印刷物３のトータルの走行長をリセットする。また、このときに、記憶保持した見当ずれの発生履歴をプリンタ２５によりプリント出力させる。
【０１３５】
以上のような第１の実施形態によれば、印刷物３における見当ずれの発生箇所の見当マークを撮像し、撮像された画像をモニタ２４に表示することができるので、発生した見当ずれがどのような態様のものであり、どの程度の見当ずれが発生したのかをオペレータが容易に認識することが可能となる。よって、印刷物３から不良印刷領域として切除する領域を必要最小限の領域としたり、或いは、瞬時に終息した見当ずれについても不良印刷領域を切除したりすることが容易となる。
【０１３６】
また、ラベラ２６により自動的に見当ずれの発生箇所及び終息位置にラベルを貼付するので、印刷不良領域の抽出が容易となる。
【０１３７】
また、見当ズレの履歴情報がプリンタ２５によりプリント出力されるので、製品における不良印刷領域が容易に分かり、不良印刷領域の削除漏れを無くすことができる。よって、製品品質の向上と、削除すべき領域が限定されることによる損失低減とが可能となる。
【０１３８】
なお、上記の各実施形態では、見当ずれの発生時以外には撮像装置２２により印刷状態の監視を行うことを前提としているため、見当ずれの発生時に撮像装置２２を移動機構２３により所定位置に移動させる例を説明したが、撮像装置２２を見当ずれ発生時の見当マークの撮像機能だけを担うものとすれば、撮像装置２２の位置は固定とすることができ、従って、移動機構２３は不要とすることができる。
【０１３９】
また、ラベラ２６が見当ずれ発生箇所に貼付するラベルと、見当ずれ終息箇所に貼付するラベルとを視覚的に区別可能な別のラベル（例えば、色や形が互いに異なるなど）としたり、各印刷ユニット１，２ごとの見当ずれに対して貼付するラベルについても視覚的に互いに区別可能な別のラベルとすることも好ましく、このようにすることにより、見当ずれ発生箇所と終息箇所とを容易に区別したり、各印刷ユニット１，２において発生した見当ずれの発生箇所及び終息箇所を容易に区別して認識することが可能となる。
【図面の簡単な説明】
【０１４０】
【図１】本実施形態に係る見当ずれ関連処理装置と、この見当ずれ関連処理装置が設けられた印刷機と、の構成を示すブロック図である。
【図２】印刷物に対する絵柄及び見当マークの印刷態様の例を示す図である。
【図３】走行量検出手段としてのロータリーエンコーダが出力するパルスを説明するための模式図である。
【図４】撮像装置及び移動機構を示す模式的な斜視図である。
【図５】撮像装置の移動量の制御動作を説明するための模式的な斜視図である。
【図６】見当ずれ発生時の撮像装置の移動を説明するための模式的斜視図であり、このうち（ａ）は移動直前の状態を、（ｂ）は移動後の状態を、それぞれ示す。
【図７】見当ずれの発生時に撮像装置により撮像された見当マークを表示した状態のモニタを示す斜視図である。
【図８】撮像装置の設置位置における印刷物の走行経路を示す側面図である。
【符号の説明】
【０１４１】
１      印刷ユニット
２      印刷ユニット
３      印刷物
５      自動見当装置
６      ロータリーエンコーダ（走行量検出手段）
１０    見当マーク
１１    見当マーク
２１    制御装置（演算手段、記憶手段）
２２    撮像装置
２３    移動機構
２４    モニタ（モニタ装置）
２５    プリンタ（プリンタ装置）
２６    ラベラ
１００  見当ずれ関連処理装置
２００  印刷機
【図１】
2008137195.tif 000003
【図２】
2008137195.tif 000004
【図３】
2008137195.tif 000005
【図４】
2008137195.tif 000006
【図５】
2008137195.tif 000007
【図６】
2008137195.tif 000008
【図７】
2008137195.tif 000009
【図８】
2008137195.tif 000010